(57)【特許請求の範囲】
【請求項１】
内燃機関の始動直後において該内燃機関の運転状態がアイドリング状態となっている期間であるアイドリング期間の長さを計測する計測手段と、
該計測手段によって計測されたアイドリング期間の長さを記憶する記憶手段と、
前記内燃機関の始動時に、前記記憶手段に記憶されている複数回分の過去のアイドリング期間の長さに基づいて、今回のアイドリング期間の長さを予測する予測手段と、を有するアイドリング期間予測装置と、
前記内燃機関が冷間始動されたときは、アイドリング期間中に、内燃機関の点火時期を基本点火時期より遅角させることで前記内燃機関の排気通路に設けられた排気浄化触媒を昇温させる昇温手段と、を備える内燃機関の制御システムにおいて、
前記昇温手段は、前記アイドリング期間予測装置によって予測されたアイドリング期間の長さに基づいて、アイドリング期間中の点火時期を制御することを特徴とする内燃機関の制御システム。
【請求項２】
前記アイドリング期間予測装置は、
前記内燃機関の始動時の機関温度を取得する機関温度取得手段をさらに有し、
前記記憶手段が、前記計測手段によって計測されたアイドリング期間の長さを前記機関温度取得手段によって取得された機関温度と対応させて記憶し、
前記予測手段が、前記内燃機関の始動時に、前記記憶手段に記憶されている過去のアイドリング期間のうち対応している前記内燃機関の始動時の機関温度が前記機関温度取得手段によって今回取得された機関温度を含む所定の範囲内となっているものを複数回分選択し、それらの長さに基づいて今回のアイドリング期間の長さを予測することを特徴とする請求項１記載の内燃機関の制御システム。
【請求項３】
前記アイドリング期間予測装置において、
前記予測手段が、前記記憶手段に記憶された所定回数分の過去のアイドリング期間の長さの代表値をアイドリング期間の長さの予測値とすることを特徴とする請求項１または２記載の内燃機関の制御システム。
【請求項４】
前記昇温手段は、アイドリング期間が終了した時点の前記排気浄化触媒の温度が所定の活性温度以上となる範囲内で、アイドリング期間中における前記排気浄化触媒よりも下流
側に流出する未燃燃料成分の積算量が最少となるように、アイドリング期間中の点火時期を制御することを特徴とする請求項１から３のいずれか一項に記載の内燃機関の制御システム。
【請求項５】
前記昇温手段によってアイドリング期間中の点火時期が基本点火時期よりも遅角されるときは、アイドリング期間中の内燃機関の吸入空気量を基本空気量よりも増加させることを特徴とする請求項１から４のいずれか一項に記載の内燃機関の制御システム。
【請求項６】
内燃機関の始動直後において該内燃機関の運転状態がアイドリング状態となっている期間であるアイドリング期間の長さを計測する計測手段と、
該計測手段によって計測されたアイドリング期間の長さを記憶する記憶手段と、
前記内燃機関の始動時に、前記記憶手段に記憶されている複数回分の過去のアイドリング期間の長さに基づいて、今回のアイドリング期間の長さを予測する予測手段と、を有するアイドリング期間予測装置と、
前記内燃機関が冷間始動されたときは、アイドリング期間中に、前記内燃機関の点火時期、吸入空気量および燃料噴射量を制御することで前記内燃機関の排気通路に設けられた排気浄化触媒を昇温させる昇温手段と、を備える内燃機関の制御システムにおいて、
前記昇温手段は、前記アイドリング期間予測装置によって予測されたアイドリング期間の長さに基づいて、アイドリング期間中の点火時期、吸入空気量および燃料噴射量を制御することを特徴とする内燃機関の制御システム。
【請求項７】
前記昇温手段は、アイドリング期間が終了した時点の前記排気浄化触媒の温度が所定の活性温度以上となる範囲内で、アイドリング期間中における前記排気浄化触媒よりも下流側に流出する未燃燃料成分の積算量が最少となるように、前記アイドリング期間予測装置によって予測されたアイドリング期間の長さに基づいて、アイドリング期間中の点火時期、吸入空気量および燃料噴射量を制御することを特徴とする請求項６記載の内燃機関の制御システム。
【発明の詳細な説明】
【技術分野】
【０００１】
本発明は、内燃機関の始動時に、その直後のアイドリング期間の長さを予測するアイドリング期間予測装置を備えた内燃機関の制御システムに関する。
【背景技術】
【０００２】
内燃機関が冷間始動されたときは、排気通路に設けられた排気浄化触媒を昇温させ、該排気浄化触媒をより早期に活性化させる必要がある。そこで、内燃機関の始動直後における、内燃機関の運転状態がアイドリング状態となっている期間であるアイドリング期間中に、内燃機関の点火時期を基本点火時期より遅角させると共に内燃機関の吸入空気量を基本空気量より増加させる技術が知られている。
【０００３】
点火時期が遅角されると排気の温度が上昇するため排気浄化触媒をより速やかに昇温させることが可能となる。また、アイドリング期間中に点火時期が遅角されると、内燃機関の出力トルクが低下するために、アイドリング期間中の機関回転数であるアイドル回転数が低下しその値が不安定となる虞がある。しかしながら、吸入空気量を増加させることで、アイドル回転数の低下を抑制することが出来る。
【０００４】
従って、上記技術によれば、内燃機関の始動直後のアイドリング期間中に、アイドル回転数が不安定となることを抑制しつつ排気浄化触媒の活性化を図ることが出来る。
【０００５】
また、特許文献１には、アイドリング期間中に点火時期を遅角させるときに、内燃機関の始動時点からの経過時間に応じてその遅角量を小さくする技術が記載されている。
【０００６】
上記のように、アイドリング期間中に点火時期を遅角させる場合、その遅角量を大きくすると排気浄化触媒の昇温をより促進させることが出来る。しかしながら、点火時期を過度に遅角すると、排気中の未燃燃料成分が増加することにより、排気浄化触媒の昇温中における排気浄化触媒よりも下流側に流出する未燃燃料成分（以下、流出燃料成分と称する）の量が増加する場合がある。その結果、アイドリング期間中の流出燃料成分の積算量が過剰に増加する虞がある。一方、アイドリング期間中に排気浄化触媒が十分に昇温されなかった場合、該アイドリング期間終了直後における流出燃料成分の量を十分に抑制することが困難となる。
【０００７】
しかしながら、内燃機関の始動時に、その直後のアイドリング期間の長さを予測することが出来ない場合、点火時期の遅角量に対するアイドリング期間中の流出燃料成分の積算量およびアイドリング期間終了時点の排気浄化触媒の温度を予測することは困難である。
【０００８】
また、引用文献１のように、内燃機関の始動時点からの経過時間に応じて点火時期の遅角量を変化させる場合においても、アイドリング期間の長さに関わらず点火時期の遅角量を一定の割合で変化させるとすると、アイドリング期間中の流出燃料成分の積算量およびアイドリング期間終了時点の排気浄化触媒の温度を好適な値に制御することは困難である。
【特許文献１】特開平６−２６４３２号公報
【特許文献２】特開平２−２９１４５８号公報
【特許文献３】特開２００４−２１８５５８号公報
【特許文献４】特開２００７−７１１１３号公報
【発明の開示】
【発明が解決しようとする課題】
【０００９】
本発明は、内燃機関の始動時に、その直後のアイドリング期間の長さを予測することが可能な技術を提供することを目的とする。
【課題を解決するための手段】
【００１０】
本発明は、内燃機関の始動時に、過去のアイドリング期間の長さに基づいて、今回のアイドリング期間の長さを予測するものである。
【００１１】
より詳しくは、本発明に係る内燃機関のアイドリング期間予測装置は、
内燃機関の始動直後において該内燃機関の運転状態がアイドリング状態となっている期間であるアイドリング期間の長さを計測する計測手段と、
該計測手段によって計測されたアイドリング期間の長さを記憶する記憶手段と、
前記内燃機関の始動時に、前記記憶手段に記憶されている複数回分の過去のアイドリング期間の長さに基づいて、今回のアイドリング期間の長さを予測する予測手段と、を備えたことを特徴とする。
【００１２】
本発明によれば、内燃機関の始動時に、その直後のアイドリング期間の長さを予測することが出来る。
【００１３】
本発明においては、内燃機関の始動時の機関温度を取得する機関温度取得手段をさらに備えてもよい。この場合、記憶手段は、計測手段によって計測されたアイドリング期間の長さを機関温度取得手段によって取得された機関温度と対応させて記憶する。そして、予測手段は、内燃機関の始動時に、記憶手段に記憶されている過去のアイドリング期間のうち対応している内燃機関の始動時の機関温度が機関温度取得手段によって今回取得された機関温度を含む所定の範囲内となっているものを複数回分選択する。さらに、予測手段は、選択された複数回分の過去のアイドリング期間の長さに基づいて、今回のアイドリング期間の長さを予測する。
【００１４】
アイドリング期間の長さは、内燃機関の始動時の機関温度に応じて変化する傾向がある。従って、上記によれば、内燃機関の始動時に、その直後のアイドリング期間の長さをより高い精度で予測することが出来る。
【００１５】
本発明において、予測手段は、記憶手段に記憶された所定回数分の過去のアイドリング期間の長さの代表値をアイドリング期間の長さの予測値としてもよい。
【００１６】
ここで、所定回数は、アイドリング期間の長さを十分な精度で予測することが可能と判断出来る回数である。また、代表値は、平均値、最高値、最低値、最頻値等どのような値でもよい。
【００１７】
また、内燃機関が冷間始動されたときは、アイドリング期間中に、内燃機関の点火時期を基本点火時期より遅角させることで内燃機関の排気通路に設けられた排気浄化触媒を昇温させる昇温手段を備えた内燃機関の制御システムに、本発明に係る内燃機関のアイドリング期間予測装置を適用してもよい。
【００１８】
ここで、基本点火時期は、アイドリング期間中に排気浄化触媒を昇温する必要がない場合における点火時期として定められた値である。
【００１９】
内燃機関の始動時にアイドリング期間の長さを予測することが出来ると、アイドリング期間中に点火時期を遅角させた場合における、アイドリング期間が終了した時点の排気浄化触媒の温度およびアイドリング期間中の流出燃料成分の積算量をその予測値に基づいて
推定することが出来る。
【００２０】
そこで、上記の場合、昇温手段は、アイドリング期間予測装置によって予測されたアイドリング期間の長さに基づいて、アイドリング期間中の点火時期を制御する。
【００２１】
これによれば、アイドリング期間が終了した時点の排気浄化触媒の温度およびアイドリング期間中における流出燃料成分の積算量をより好適に制御することが出来る。
【００２２】
例えば、昇温手段は、アイドリング期間が終了した時点の排気浄化触媒の温度が所定の活性温度以上となる範囲内で、アイドリング期間中における流出燃料成分の積算量が最少となるように、アイドリング期間予測装置によって予測されたアイドリング期間の長さに基づいて、アイドリング期間中の点火時期を制御してもよい。
【００２３】
ここで、所定の活性温度は、排気浄化触媒の温度が該所定の活性温度以上であれば、流出燃料成分の量が許容範囲内となると判断出来る値である。この所定の活性温度は実験等に基づいて予め定められている。
【００２４】
これにより、アイドリング期間中における流出燃料成分の積算量およびアイドリング期間終了直後における流出燃料成分の量の双方を可及的に少なくすることが出来る。
【００２５】
また、昇温手段によってアイドリング期間中の点火時期が基本点火時期よりも遅角されるときは、アイドリング期間中の内燃機関の吸入空気量を基本空気量よりも増加させてもよい。
【００２６】
ここで、基本空気量は、アイドリング期間中において、点火時期が基本時期であれば、吸入空気量を該基本空気量に制御することでアイドル回転数を目標値とすることが可能な値として定められている。
【００２７】
これによれば、アイドル回転数の低下を抑制することが出来る。
【００２８】
内燃機関が冷間始動されたときは、アイドリング期間中に、内燃機関の点火時期、吸入空気量および燃料噴射量を制御することで内燃機関の排気通路に設けられた排気浄化触媒を昇温させる昇温手段を備えた内燃機関の制御システムに、本発明に係る内燃機関のアイドリング期間予測装置を適用してもよい。
【００２９】
アイドリング期間中の排気浄化触媒の温度および流出燃料成分の量は、点火時期のみならず、吸入空気量および燃料噴射量にも相関がある。そこで、上記内燃機関の制御システムに係る昇温手段は、点火時期、吸入空気量および燃料噴射量を制御することで排気浄化触媒を昇温させる。
【００３０】
そして、この場合、内燃機関の始動時にアイドリング期間の長さを予測することが出来ると、アイドリング期間中に点火時期、吸入空気量および燃料噴射量のそれぞれを変化させた場合における、アイドリング期間が終了した時点の排気浄化触媒の温度およびアイドリング期間中の流出燃料成分の積算量をその予測値に基づいて推定することが出来る。
【００３１】
そこで、上記の場合、昇温手段は、アイドリング期間予測装置によって予測されたアイドリング期間の長さに基づいて、アイドリング期間中の点火時期、吸入空気量および燃料噴射量を制御する。
【００３２】
これによれば、アイドリング期間が終了した時点の排気浄化触媒の温度およびアイドリ
ング期間中における流出燃料成分の積算量をより好適に制御することが出来る。
【００３３】
上記の場合においても、昇温手段は、アイドリング期間が終了した時点の排気浄化触媒の温度が所定の活性温度以上となる範囲内で、アイドリング期間中における流出燃料成分の積算量が最少となるように、アイドリング期間予測装置によって予測されたアイドリング期間の長さに基づいて、アイドリング期間中の点火時期、吸入空気量および燃料噴射量を制御してもよい。
【００３４】
これにより、アイドリング期間中における流出燃料成分の積算量およびアイドリング期間終了直後における流出燃料成分の量の双方を可及的に少なくすることが出来る。
【発明の効果】
【００３５】
本発明によれば、内燃機関の始動時に、その直後のアイドリング期間の長さを予測することが出来る。
【発明を実施するための最良の形態】
【００３６】
以下、本発明に係る内燃機関のアイドリング期間予測装置および制御システムの具体的な実施形態について図面に基づいて説明する。
【００３７】
＜実施例１＞
＜内燃機関およびその吸排気系の概略構成＞
図１は、本実施例に係る内燃機関およびその吸排気系の概略構成を示す図である。内燃機関１は、４つの気筒２を有する車両駆動用のガソリンエンジンである。
【００３８】
気筒２内にはピストン３が摺動自在に設けられている。気筒２内上部の燃焼室には吸気ポート４と排気ポート５とが接続されている。吸気ポート４および排気ポート５の燃焼室への開口部は、それぞれ吸気弁６および排気弁７によって開閉される。
【００３９】
また、内燃機関１には、気筒２内の燃焼室において混合気に点火する点火プラグ１０、および、吸気ポート４内に燃料を噴射する燃料噴射弁１１が設けられている。
【００４０】
吸気ポート４および排気ポート５は、それぞれ吸気通路８および排気通路９に接続されている。吸気通路８にはエアフローメータ１２およびスロットル弁１３が設けられている。本実施例においては、スロットル弁１３によって内燃機関１の吸入空気量が制御される。
【００４１】
排気通路１４には三元触媒１４が設けられている。本実施例においては、三元触媒１４が本発明に係る排気浄化触媒に相当する。尚、本発明に係る排気浄化触媒は、三元触媒１４に限られるものではなく、酸化機能を有する触媒であればどのようなものでもよい。そのため、三元触媒１４に代えて、酸化触媒や吸蔵還元型ＮＯｘ触媒等の触媒を設けてもよい。
【００４２】
また、内燃機関１には、該内燃機関１に形成されたウォータージャケット内を流れる冷却水の温度を検出する水温センサ１５が設けられている。本実施例では、水温センサ１５の検出値を内燃機関１の機関温度として用いる。つまり、水温センサ１５が、本発明に係る機関温度取得手段に相当する。
【００４３】
以上述べたように構成された内燃機関１には電子制御ユニット（ＥＣＵ）２０が併設されている。ＥＣＵ２０には、エアフローメータ１２、水温センサ１５、クランクポジションセンサ１６、アクセル開度センサ１７、および、イグニッションスイッチ１８が電気的
に接続されている。これらの出力信号がＥＣＵ２０に入力される。
【００４４】
クランクポジションセンサ１６は、内燃機関１のクランク角を検出するセンサである。また、アクセル開度センサ１７は、内燃機関１を搭載した車両のアクセル開度を検出するセンサである。
【００４５】
また、ＥＣＵ２０には、点火プラグ１０、燃料噴射弁１１およびスロットル弁１３が電気的に接続されている。ＥＣＵ２０によってこれらが制御される。
【００４６】
＜アイドリング期間中の制御＞
本実施例において、内燃機関１の運転状態がアイドリング状態となっているアイドリング期間中の制御について説明する。尚、以下において、「アイドリング期間」とは「内燃機関１の始動直後のアイドリング期間」のことをいうものとする。
【００４７】
本実施例に係る内燃機関１では、アイドリング期間中は、機関回転数（アイドル回転数）が予め定められた目標アイドル回転数に制御される。このとき、三元触媒１４を昇温させる必要がない場合（即ち、三元触媒１４が十分に活性化している場合）は、内燃機関１の点火時期および吸入空気量は、それぞれ、予め定められた基本点火時期および基本空気量に制御される。つまり、基本点火時期および基本空気量は、内燃機関の点火時期および吸入空気量がこれらの値に制御されるとアイドル回転数が目標アイドル回転数となる値として定められている。
【００４８】
ここで、内燃機関１が冷間始動された場合は、三元触媒１４をより早期に活性化させる必要がある。そこで、本実施例では、内燃機関１が冷間始動された場合、その直後のアイドリング期間中において、三元触媒１４を昇温させるべく昇温制御が実行される。本実施例に係る昇温制御は、内燃機関の点火時期を基本点火時期よりも遅角させることで実現される。点火時期を遅角させることで、排気の温度を上昇させることが出来る。その結果、三元触媒１４をより速やかに昇温させることが可能となる。
【００４９】
また、アイドリング期間中において点火時期が遅角されるとアイドル回転数が低下する虞がある。そこで、本実施例では、アイドリング期間中に昇温制御が実行される場合、吸入空気量を基本空気量より増加させる吸入空気量増加制御が実行される。この吸入空気量増加制御では、点火時期が遅角された場合におけるアイドル回転数が目標アイドル回転数となるように吸入空気量が制御される。尚、本実施例に係る吸入空気量増加制御はスロットル弁１３の開度を増加させることで実現される。
【００５０】
このように、本実施例においては、内燃機関１が冷間始動された場合、アイドリング期間中に昇温制御および吸入空気量増加制御が実行されることで、アイドル回転数を目標アイドル回転数に制御しつつ、三元触媒１４をより速やかに昇温させることが出来る。
【００５１】
アイドリング期間中に昇温制御を実行する場合、点火時期の遅角量を大きくすると三元触媒１４の昇温をより促進させることが出来る。しかしながら、点火時期を過度に遅角すると、排気中の未燃燃料成分が増加することにより、三元触媒１４の昇温中における三元触媒１４よりも下流側に流出する未燃燃料成分（以下、流出燃料成分と称する）の量が増加する場合がある。その結果、アイドリング期間中の流出燃料成分の積算量が過剰に増加する虞がある。一方、アイドリング期間中に三元触媒１４が十分に昇温されなかった場合、該アイドリング期間終了直後における流出燃料成分の量を十分に抑制することが困難となる。
【００５２】
そこで、本実施例では、内燃機関１が冷間始動された場合、その直後のアイドリング期
間の長さを予測する。そして、アイドリング期間中における流出燃料成分の積算量およびアイドリング期間終了直後における流出燃料成分の量の双方を可及的に少なくすべく、アイドリング期間の長さの予測値に基づいてアイドリング期間中の点火時期を制御する。
【００５３】
＜アイドリング期間の長さの予測方法＞
ここで、本実施例に係るアイドリング期間の長さの予測方法について図２に基づいて説明する。アイドリング期間の長さは、内燃機関１を搭載した車両の運転者の運転パターンの一つである。また、アイドリング期間の長さは内燃機関１の始動時の機関温度に応じて変化する傾向がある。つまり、通常、内燃機関１の始動時の機関温度が低い場合は、内燃機関１の暖機のために、内燃機関１の始動時の機関温度が高い場合に比べてアイドリング期間が長くなる傾向がある。これらのことから、アイドリング期間の長さは、その履歴に基づいて予測することが出来る。
【００５４】
そこで、本実施例においては、内燃機関１の始動毎にアイドリング期間の長さをＥＣＵ２０が計測する。本実施例では、イグニッションスイッチ１８がＯＮとなり且つ内燃機関１の機関回転数が所定の機関始動回転数（例えば、４００ｒｐｍ）以上となった時点から、アクセル開度センサ１７によって検出されるアクセル開度が零より大きくなるまでの期間の長さがアイドリング期間の長さとして計測される。ここで、機関始動回転数とは、内燃機関１において燃料噴射弁１１からの燃料噴射および点火プラグ１０による点火が開始されたと判断出来る閾値である。そして、ＥＣＵ２０は、図２に示すように、その計測値を、その計測時（即ち、機関始動時）に水温センサ１５によって検出される冷却水の温度と対応させて記憶する。
【００５５】
尚、イグニッションスイッチ１８がＯＮとなり且つ内燃機関１の機関回転数が所定の機関始動回転数以上となった時点から、内燃機関１の機関回転数が所定のアイドル終了回転数以上となった時点までの期間の長さをアイドリング期間の長さとして計測してもよい。ここで、アイドル終了回転数とは、目標アイドル回転数よりも高い値である。また、イグニッションスイッチ１８がＯＮとなり且つ内燃機関１の機関回転数が所定の機関始動回転数以上となった時点から、内燃機関１の機関負荷が所定のアイドル終了負荷以上となった時点までの期間の長さをアイドリング期間の長さとして計測してもよい。ここで、アイドル終了負荷とは、内燃機関１が目標アイドル回転数で運転されているときの機関負荷よりも高い値である。
【００５６】
本実施例では、アイドリング期間の長さを計測するＥＣＵ２０が、本発明に係る計測手段に相当する。また、アイドリング期間の長さを記憶するＥＣＵ２０が、本発明に係る記憶手段に相当する。
【００５７】
図２において、上段の縦軸はアイドリング期間の長さΔｔｉを表しており、下段の縦軸は冷却水温Ｔｗを表している。尚、第一所定水温Ｔｗ１は、内燃機関１の始動時において冷却水温Ｔｗが該第一所定水温Ｔｗ１以下の場合は冷間始動であると判断される閾値である（例えば、Ｔｗ１＝４０℃）。また、図２において、横軸は、時系列の機関始動回数（ｎ回目の機関始動の“ｎ”）を表している。
【００５８】
そして、内燃機関１が冷間始動された場合、過去に内燃機関１が冷間始動されたときのアイドリング期間の長さΔｔｉのうち最新の所定回数分のデータを選択する。そして、選択した所定回数分のデータの平均値を算出し、その平均値を今回のアイドリング期間の長さΔｔｉｔｈの予測値とする。
【００５９】
尚、所定回数は、アイドリング期間の長さΔｔｉｔｈを十分な精度で予測することが可能と判断出来る回数であって、実験等に基づいて予め定められている。
【００６０】
例として、今回の冷間始動がｎ＋１回目の機関始動であって、所定回数を５回とした場合について説明する。この場合、ｎ回目以前の機関始動であって機関始動時の冷却水温Ｔｗが第一所定水温Ｔｗ１以下であったとき（冷間始動であったとき）のアイドリング期間の長さΔｔｉのうち最新の５回分のデータ（図２の上段において楕円で囲まれたデータ）を選択する。そして、選択した５回分のデータの平均値を今回のアイドリング期間の長さΔｔｉｔｈの予測値とする。
【００６１】
上記のようなアイドリング期間の長さの予測方法によれば、内燃機関１の始動時の冷却水温を考慮しつつ、履歴に基づいてアイドリング期間の長さが予測される。従って、内燃機関１の冷間始動時に、その直後のアイドリング期間の長さをより高い精度で予測することが出来る。
【００６２】
＜アイドリング期間中の点火時期およびスロットル弁開度＞
内燃機関１の冷間始動後のアイドリング期間中において昇温制御が実行される場合、点火時期の遅角量およびアイドリング期間の長さに応じて、アイドリング期間が終了した時点の三元触媒１４の温度およびアイドリング期間中の流出燃料成分の積算量が変化する。例えば、アイドリング期間中の点火時期の遅角量が一定の場合、アイドリング期間の長さが長いほど、アイドリング期間が終了した時点の三元触媒１４の温度は高くなり、アイドリング期間中の流出燃料成分の積算量は多くなる。また、アイドリング期間の長さが一定の場合、アイドリング期間中の点火時期の遅角量が大きいほど（即ち、点火時期が遅いほど）、アイドリング期間が終了した時点の三元触媒１４の温度は高くなり、アイドリング期間中の流出燃料成分の積算量は多くなる。
【００６３】
そこで、本実施例においては、アイドリング期間が終了した時点の三元触媒１４の温度が所定の活性温度以上となる範囲内で、アイドリング期間中における流出燃料成分の積算量が最少となるような、アイドリング期間中の点火時期とアイドリング期間の長さとの関係を実験等に基づいて予め求めておく。そして、それらの関係を図３に示すようなマップとしてＥＣＵ２０に記憶しておく。
【００６４】
尚、ここで、所定の活性温度は、三元触媒１４の温度が該所定の活性温度以上であれば、流出燃料成分の量が許容範囲内となると判断出来る値である。この所定の活性温度は実験等に基づいて予め定められている。
【００６５】
図３において、縦軸はアイドリング期間中の点火時期ＳＡを表しており、横軸はアイドリング期間の長さΔｔｉを表している。尚、曲線Ｌ１は機関始動時の冷却水温が第一所定水温Ｔｗ１の場合を表しており、曲線Ｌ２は機関始動時の冷却水温が第二所定水温Ｔｗ２の場合を表しており、曲線Ｌ３は機関始動時の冷却水温が第三所定水温Ｔｗ３の場合を表している（Ｔｗ１＞Ｔｗ２＞Ｔｗ３）。このように、図３に示すマップには、機関始動時の冷却水温に応じたアイドリング期間中の点火時期とアイドリング期間の長さとの関係が記憶されている。
【００６６】
そして、ＥＣＵ２０は、内燃機関１が冷間始動されたときに、上記のような方法でその直後のアイドリング期間の長さを予測する。そして、ＥＣＵ２０は、その予測値を図３に示すマップに代入することで今回のアイドリング期間中の点火時期を決定する。さらに、ＥＣＵ２０は、アイドリング期間中の点火時期を、基本点火時期よりも遅角し、このように決定された値に制御する。
【００６７】
これにより、アイドリング期間中の流出燃料成分の積算量を可及的に抑制しつつ、アイドリング期間が終了した時点の三元触媒１４の温度を所定の活性温度以上に制御すること
が出来る。従って、内燃機関１が冷間始動された場合において、アイドリング期間中の流出燃料成分の積算量およびアイドリング期間終了直後における流出燃料成分の量の双方を可及的に少なくすることが出来る。
【００６８】
本実施例においては、アイドリング期間中に点火時期が上記のように決定された値に制御された場合においても、吸入空気量増加制御が実行されることにより、アイドル回転数が目標アイドル回転数となるまで吸入空気量が増加される。これにより、アイドリング回転数が低下することが抑制される。
【００６９】
＜アイドリング期間中の制御ルーチン＞
以下、本実施例に係るアイドリング期間中の制御ルーチンについて図４に示すフローチャートに基づいて説明する。本ルーチンは、ＥＣＵ２０に予め記憶されており、ＥＣＵ２０がＯＮとなっているときに所定の間隔で繰り返し実行される。
【００７０】
本ルーチンでは、ＥＣＵ２０は、先ずＳ１０１において、イグニッションスイッチ１８がＯＮとなり且つ内燃機関１の機関回転数Ｎｅが所定の機関始動回転数Ｎｅｓ以上となったか否かを判別する。Ｓ１０１において、肯定判定された場合、ＥＣＵ２０は、内燃機関１が始動されたと判断し、Ｓ１０２に進む。一方、Ｓ１０１において、否定判定された場合、ＥＣＵ２０は本ルーチンの実行を一端終了する。
【００７１】
Ｓ１０２において、ＥＣＵ２０は、水温センサ１５によって検出された冷却水温Ｔｗが第一所定水温Ｔｗ１以下であるか否かを判別する。Ｓ１０２において、肯定判定された場合、ＥＣＵ２０は、内燃機関１が冷間始動されたと判断し、Ｓ１０３に進む。一方、Ｓ１０２において、否定判定された場合、ＥＣＵ２０はＳ１１０に進む。
【００７２】
ＥＣＵ２０がＳ１１０に進んだ場合、アイドリング期間中に昇温制御および吸入空気量増加制御を実行する必要はない。そのため、Ｓ１１０において、ＥＣＵ２０は、内燃機関１の点火時期ＳＡを基本点火時期ＳＡｂａｓｅに制御する。また、ＥＣＵ２０は、スロットル弁１３の開度ＴＡを基本開度ＴＡｂａｓｅに制御する。ここで、基本開度ＴＡｂａｓｅは、内燃機関１の吸入空気量が基本空気量となる開度として設定されている。ＥＣＵ２０は、Ｓ１１０の後、Ｓ１０８に進む。
【００７３】
一方、Ｓ１０３に進んだＥＣＵ２０は、上述した予測方法によって今回のアイドリング期間の長さΔｔｉｔｈを予測する。本実施例においては、このＳ１０３を実行するＥＣＵ２０が、本発明に係る予測手段に相当する。
【００７４】
次に、ＥＣＵ２０は、Ｓ１０４に進み、Ｓ１０３において予測された今回のアイドリング期間の長さΔｔｉｔｈを図３に示すマップに代入することで、今回のアイドリング期間中の点火時期ＳＡｔｈを導出する。
【００７５】
次に、ＥＣＵ２０は、Ｓ１０５に進み、内燃機関１の点火時期ＳＡを点火時期ＳＡｔｈに制御する。これにより、点火時期ＳＡは基本点火時期よりも遅角され、昇温制御が実行されることになる。本実施例においては、このＳ１０５を実行するＥＣＵ２０が、本発明に係る昇温手段に相当する。
【００７６】
次に、ＥＣＵ２０は、Ｓ１０６に進み、スロットル弁１３の開度ＴＡを基本開度ＴＡｂａｓｅよりも増加させる。これにより、吸入空気量増加制御が実行されることになる。
【００７７】
次に、ＥＣＵ２０は、Ｓ１０７に進み、内燃機関１の機関回転数、即ちアイドル回転数Ｎｅｉが、目標アイドル回転数Ｎｅｉｔに達したか否かを判別する。Ｓ１０７において、
肯定判定された場合、ＥＣＵ２０はＳ１０８に進み、否定判定された場合、ＥＣＵ２０はＳ１０６に戻る。
【００７８】
Ｓ１０８において、ＥＣＵ２０は、アクセル開度センサ１７によって検出されるアクセル開度Ｒａｃｃが零より大きくなったか否かを判別する。Ｓ１０８において、肯定判定された場合、ＥＣＵ２０はＳ１０９に進み、否定判定された場合、ＥＣＵ２０はＳ１０８を繰り返す。
【００７９】
Ｓ１０９において、ＥＣＵ２０は、今回のアイドリング期間の実際の長さΔｔｉｔｈ´（即ち、イグニッションスイッチ１８がＯＮとなってから、アクセル開度Ｒａｃｃが零より大きくなるまでの期間の長さ）を、機関始動時の冷却水温Ｔｗと対応させて記憶する。その後、ＥＣＵ２０は本ルーチンの実行を一旦終了する。
【００８０】
尚、本実施例に係るアイドリング期間の長さの予測方法においては、図２の下段に示す冷却水温Ｔｗが第一所定水温Ｔｗ１以下の領域をさらに複数の領域に分割してもよい（例えば、Ｔｗ１≧ Ｔｗ＞Ｔｗ２の領域とＴｗ２≧Ｔｗ＞Ｔｗ３の領域とＴｗ３≧Ｔｗの領
域に分割する）。この場合、内燃機関１の冷間始動時にアイドリング期間の長さを予測する際に、そのときの冷却水温度が属する領域における過去の所定回数分のアイドリング期間の長さを選択し、これらのデータの平均値を予測値とする。
【００８１】
これによれば、上記に比べて、さらに高い精度でアイドリング期間の長さを予測することが可能となる。
【００８２】
また、上記においては、選択した過去の所定回数分のアイドリング期間の長さの平均値を今回のアイドリング期間の長さの予測値としたが、選択したデータの平均値以外の代表値を予測値として用いてもよい。
【００８３】
また、上記のアイドリング期間中の吸入空気量増加制御では、点火時期を基本点火時期よりも遅角させた後、アイドル回転数が目標アイドル回転数となるまでスロットル弁１３の開度を増加させた。しかしながら、アイドル回転数が目標アイドル回転数となるスロットル弁１３の開度を点火時期に応じて実験等により予め求めておき、それらの関係をマップとしてＥＣＵ２０に記憶させておいてもよい。吸入空気量増加制御の実行時に、このようなマップから導出された値にスロットル弁１３の開度を制御することで、アイドル回転数をより速やかに目標アイドル回転数に制御することが出来る。
【００８４】
また、本実施例においては、アイドリング期間中の排気の空燃比を予め定められた目標空燃比に制御してもよい。この場合、アイドリング期間中において昇温制御が実行されないときは、燃料噴射弁１１による燃料噴射時間は基本噴射時間に制御される。ここで、燃料噴射時間とは、燃料噴射弁１１による一回の燃料噴射にかかる時間のことである。つまり、燃料噴射時間は、燃料噴射弁１１による燃料噴射一回当たりの燃料噴射量と捉えることが出来る。そして、基本噴射時間は、内燃機関の吸入空気量が基本空気量であるときに排気の空燃比が目標空燃比となる値として定められる。
【００８５】
一方、アイドリング期間中において昇温制御が実行される場合は、吸入空気量の増加に応じて、燃料噴射時間を基本噴射時間よりも長くする（即ち、燃料噴射一回当たりの燃料噴射量を増加させる）。これにより、アイドリング期間中において昇温制御が実行される場合であっても排気の空燃比を目標空燃比に制御することが出来る。
【００８６】
＜実施例２＞
本実施例に係る内燃機関およびその吸排気系の概略構成は実施例１と同様である。また
、本実施例においても、内燃機関１が冷間始動されたときは、実施例１と同様、アイドリング期間中に昇温制御および吸入空気量増加制御が実行される。
【００８７】
＜アイドリング期間中の点火時期および吸入空気量＞
以下、本実施例に係るアイドリング期間中の点火時期、スロットル弁の開度および燃料噴射時間の設定方法について説明する。
【００８８】
本実施例においては、アイドリング期間中における、内燃機関１の始動時点からの経過時間（以下、始動後経過時間と称することもある）に応じた三元触媒１４の温度および流出燃料成分の量を算出するための下記式（１）および（２）がＥＣＵ２０に記憶されている。これらの式（１）および（２）は実験等に基づいて予め求めることが出来る。尚、ここでは、アイドリング期間中に０．１ｓｅｃ毎に三元触媒１４の温度および流出燃料成分の量を算出する場合を例に挙げて説明する。
【００８９】
Ｔｃａｔ（ｔ）＝ａＴｃａｔ（ｔ−０．１）＋ｂＴｃａｔ（ｔ−０．２）＋ｆ（ＴＡ（ｔ−ｔｄ），ＳＡ（ｔ−ｔｄ），ＩＮＪ（ｔ−ｔｄ））・・・式（１）  
Ｔｃａｔ（ｔ）：始動後経過時間ｔにおける三元触媒１４の温度（℃）
ＴＡ（ｔ）：始動後経過時間ｔにおけるスロットル弁１３の開度（ｄｅｇ）
ＳＡ（ｔ）：始動後経過時間ｔにおける点火時期（ｄｅｇＢＴＤＣ）
ＩＮＪ（ｔ）：始動後経過時間ｔにおける燃料噴射時間（μｓｅｃ）
ａ，ｂ：定数、ｆ：関数、ｔｄ：応答遅れ時間
【００９０】
上記式（１）において、Ｔｃａｔ（ｔ−０．１）は始動後経過時間ｔより０．１ｓｅｃ前の三元触媒１４の温度である。また、Ｔｃａｔ（ｔ−０．２）は始動後経過時間ｔより０．２ｓｅｃ前の三元触媒１４の温度である。また、スロットル弁１３の開度、点火時期および燃料噴射時間のそれぞれが変化してから、その変化に応じて三元触媒１４の温度が変化するまでには応答遅れがある。ＴＡ（ｔ−ｔｄ）、ＳＡ（ｔ−ｔｄ）およびＩＮＪ（ｔ−ｔｄ）は、始動後経過時間ｔよりもそれぞれの応答遅れ時間ｔｄ前のスロットル弁１３の開度、点火時期および燃料噴射時間である。
【００９１】
ＨＣ（ｔ）＝ｃＨＣ（ｔ−０．１）＋ｄＨＣ（ｔ−０．２）＋ｇ（ＴＡ（ｔ−ｔｄ），ＳＡ（ｔ−ｔｄ），ＩＮＪ（ｔ−ｔｄ），Ｔｃａｔ(ｔ−ｔｄ)）・・・式（２）  
ＨＣ（ｔ）：始動後経過時間ｔにおける流出燃料成分の量（ｇ／ｓｅｃ）
ｃ，ｄ：定数、ｇ：関数、ｔｄ：応答遅れ時間
【００９２】
上記式（２）において、ＨＣ（ｔ−０．１）は始動後経過時間ｔより０．１ｓｅｃ前の流出燃料成分の量である。また、ＨＣ（ｔ−０．２）は始動後経過時間ｔより０．２ｓｅｃ前の流出燃料成分の量である。また、スロットル弁１３の開度、点火時期、燃料噴射時間および三元触媒１４の温度のそれぞれが変化してから、それに応じて流出燃料成分の量が変化するまでには応答遅れがある。ＴＡ（ｔ−ｔｄ）、ＳＡ（ｔ−ｔｄ）、ＩＮＪ（ｔ−ｔｄ）およびＴｃａｔ(ｔ−ｔｄ)は、始後動経過時間ｔよりもそれぞれの応答遅れ時間ｔｄ前のスロットル弁１３の開度、点火時期、燃料噴射時間および三元触媒１４の温度である。
【００９３】
そして、本実施例においても、ＥＣＵ２０は、内燃機関１が冷間始動された場合、実施例１と同様の方法によりその直後のアイドリング期間の長さΔｔｉｔｈを予測する。
【００９４】
このアイドリング期間の長さの予測値Δｔｉｔｈを式（１）のｔに代入することにより、今回のアイドリング期間が終了した時点の三元触媒１４の温度を算出することが出来る。また、式（２）のｔに、０からアイドリング期間の長さの予測値Δｔｉｔｈを代入した
値を積算することにより、アイドリング期間中の流出燃料成分の積算量を算出することが出来る。
【００９５】
そこで、本実施例では、ＥＣＵ２０は、下記式（３）を充たしつつ、下記式（４）によって算出されるアイドリング期間中の流出燃料成分の積算量Ｊが最少となるようなアイドリング期間中のスロットル弁１３の開度ＴＡ（ｔ）、点火時期ＳＡ（ｔ）および燃料噴射時間ＩＮＪ（ｔ）を時系列で算出する。
【００９６】
Ｔｃａｔ（Δｔｉｔｈ）≧Ｔｃａｔａｃｔ・・・式（３）
Ｔｃａｔ（Δｔｉｔｈ）：今回のアイドリング期間が終了した時点の三元触媒１４の温度
Ｔｃａｔａｃｔ：所定の活性温度
【００９７】
0004844516.tif 000002
Ｊ：アイドリング期間中の流出燃料成分の積算量
【００９８】
以上によれば、図５に示すような、アイドリング期間中におけるスロットル弁１３の開度、点火時期および燃料噴射時間それぞれの最適な制御値を、内燃機関１が冷間始動した時点で求めることが出来る。
【００９９】
そして、本実施例において、ＥＣＵ２０は、アイドリング期間中におけるスロットル弁１３の開度、点火時期および燃料噴射時間を、図５に示すように時系列で求められたＴＡ（ｔ）、ＳＡ（ｔ）およびＩＮＪ（ｔ）に制御する。尚、本実施例においては、アイドリング期間中におけるスロットル弁１３の開度、点火時期および燃料噴射時間をこのように制御するＥＣＵ２０が、本発明に係る昇温手段に相当する。
【０１００】
これにより、アイドリング期間中の流出燃料成分の積算量を可及的に抑制しつつ、アイドリング期間が終了した時点の三元触媒１４の温度を所定の活性温度以上に制御することが出来る。従って、本実施例によれば、内燃機関１が冷間始動された場合において、アイドリング期間中の流出燃料成分の積算量およびアイドリング期間終了直後における流出燃料成分の量の双方を可及的に少なくすることが出来る。
【０１０１】
尚、上記実施例１および２においては、内燃機関１が冷間始動されたときに、その直後のアイドリング期間の長さを履歴に基づいて予測した。しかしながら、以下のような方法により、より簡易的に冷間始動時のアイドリング期間の長さを予測してもよい。
【０１０２】
即ち、内燃機関１が冷間始動されたときに、内燃機関１の冷却水温が第四所定水温以下であって且つ車両の室内ブロアの吹き出し口がフロントウインドウの状態でＯＮとなっている場合、その直後のアイドリング期間の長さが通常時の場合よりも長い所定時間であると予測する。
【０１０３】
ここで、第四所定水温は、フロントウインドウに霜が張っている可能性が高いと判断出来る閾値である（例えば、−２℃）。つまり、内燃機関１の冷却水温が第四所定水温以下であって且つ車両の室内ブロアの吹き出し口がフロントウインドウの状態でＯＮとなっている場合、アイドリング期間中にフロントウインドウの霜取りが行われていると判断出来
る。そこで、このような場合は、アイドリング期間の長さが通常時の場合よりも長いと予測する。
【０１０４】
以上説明した実施例は可能な限り組み合わせることが出来る。
【図面の簡単な説明】
【０１０５】
【図１】本発明の実施例に係る内燃機関およびその吸排気系の概略構成を示す図。
【図２】本発明の実施例に係るアイドリング期間の長さの予測方法について説明するための図。
【図３】本発明の実施例１に係る、アイドリング期間中の点火時期とアイドリング期間の長さとの関係を示すマップ。
【図４】本発明の実施例１に係るアイドリング期間中の制御ルーチンを示すフローチャート。
【図５】本発明の実施例２に係る、アイドリング期間中における、スロットル弁の開度、点火時期および燃料噴射時間の制御値、アイドル回転数、三元触媒の温度、流出燃料成分の量の推移を示す図。
【符号の説明】
【０１０６】
１・・・内燃機関
２・・・気筒
８・・・吸気通路
９・・・排気通路
１０・・点火プラグ
１１・・燃料噴射弁
１２・・エアフローメータ
１３・・スロットル弁
１４・・三元触媒
１５・・水温センサ
１６・・クランクポジションセンサ
１７・・アクセル開度センサ
１８・・イグニッションスイッチ
２０・・ＥＣＵ
【図１】
0004844516.tif 000003
【図２】
0004844516.tif 000004
【図３】
0004844516.tif 000005
【図４】
0004844516.tif 000006
【図５】
0004844516.tif 000007